(57)【要約】【課題】電池の長寿命化を図ったプリンタを提供すること。【解決手段】電源部１８１を設けて、電池１ｂからの電力供給をＣＰＵ１８０と電源部１８１とで制御する。展開モータ１７が駆動されているときには、電池の電力消費が激しいので、電源部１８１の出力をオフさせ、電池１ｂから展開モータドライバ１７ａにのみ電力を供給させる。このプリンタが動作して各部に電池１ｂから電力が供給されるときの電力量がほぼ均等化され、電池の長寿命化を図ることができる。【選択図】  図６
2005007805.tif 000002
【特許請求の範囲】
【請求項１】
電池が装填される電池室と、画像が記録される記録媒体が装填される媒体装填室とを有し、該電池室に装填された電池から電力の供給を受けて動作して、該媒体装填室に装填された記録媒体上に画像を記録するプリンタにおいて、
画像データを取得するデータ取得部と、
前記媒体装填室に装填された記録媒体上に、前記データ取得部で取得した画像データに基づく画像を記憶する画像記録部と、
前記画像記録部により画像が記録された後の記憶媒体を前記媒体装填室からこのプリンタの外部に送り出す送出処理部と、
前記送出処理部による記録媒体の送り出しの間は、前記電池からの電力を前記データ取得部、前記画像記録部、および前記送出処理部のうち、該送出処理部にのみ供給する電力供給制御部とを備えたことを特徴とするプリンタ。
【請求項２】
前記媒体装填室は、露光により潜像が形成され送出しの際に現像剤が展開されて顕像化されるインスタントフィルムが装填される媒体装填室であり、
前記画像記録部は、前記媒体装填室に装填されているインスタントフィルム上に、所定の副走査方向に移動しながら該副走査方向に交わる主走査方向に並んだ光点を画像データに応じて照射することにより該インスタントフィルム上に潜像を記録するものであり、
前記送出処理部は、潜像が記録されたインスタントフィルムを送り出しながら該インスタントフィルムに現像剤を展開するものであることを特徴とする請求項１記載のプリンタ。
【発明の詳細な説明】
【０００１】
【発明の属する技術分野】
本発明は、電池が装填される電池室と、画像が記録される記録媒体が装填される媒体装填室とを有し、その電池室に装填された電池から電力の供給を受けて動作して、その媒体装填室に装填された記録媒体上に画像を記録するプリンタに関する。
【０００２】
【従来の技術】
画像データに基づいて被写体像を記録媒体上に記録するプリンタがある。このようなプリンタには、たとえば記録媒体としてインスタントフィルムを用い、メモリカードなどに記録された画像データに基づいてインスタントフィルム上に画像の記録を行なうものがある。
【０００３】
ところで、カメラなどにおいては、電池を電源とするものが多く、電池からの電力供給を常に行なわせると電池がすぐに消耗してしまうので、必要以外の部分の電力供給を止めて省電力化を図るものが多い。
【０００４】
このような電子機器の省電力化を図ったものの中には、電池の容量が低下した場合に、通常であれば同時に複数のアクチュエータを駆動するところを、順次切り換えて駆動するようにして電池の電力消費を抑制したり、アクチュエータを急激に作動させずにゆっくりと駆動してなるべく電池に重い負荷を加えないようにしたものがある（例えば特許文献１参照）。
【０００５】
しかし、特許文献１での省電力化はあくまでも、電池の容量が低下したときの誤動作を防止することが主な目的で、電池切れ寸前の動作を確保しただけで長寿命化そのものを図っているとは言い難い。
【０００６】
【特許文献１】
特開平７−２８３８５号公報
【０００７】
【発明が解決しようとする課題】
本発明は、上記事情に鑑み、電池の長寿命化を図ったプリンタを提供することを目的とする。
【０００８】
【課題を解決するための手段】
上記目的を達成する本発明のプリンタは、電池が装填される電池室と、画像が記録される記録媒体が装填される媒体装填室とを有し、その電池室に装填された電池から電力の供給を受けて動作して、その媒体装填室に装填された記録媒体上に画像を記録するプリンタにおいて、
画像データを取得するデータ取得部と、
上記媒体装填室に装填された記録媒体上に、前記データ取得部で取得した画像データに基づく画像を記憶する画像記録部と、
上記画像記録部により画像が記録された後の記憶媒体を上記媒体装填室からこのプリンタの外部に送り出す送出処理部と、
上記送出処理部による記録媒体の送り出しの間は、上記電池からの電力を上記データ取得部、上記画像記録部、および上記送出処理部のうち、その送出処理部にのみ供給する電力供給制御部とを備えたことを特徴とする。
【０００９】
本発明によれば、通常使用時において、上記送出処理部により上記媒体装填室からこのプリンタの外部に上記記録媒体を送り出す時には、上記データ取得部、上記画像記録部、および上記送出処理部のうち、上記送出処理部にのみ電力が供給される。そうすると、いままでのように電池の容量が低下したときに限らず、通常使用時においても上記画像記録部、上記データ取得部、および上記送出処理部がすべて動作することによって電池の電力が過多に消費されるといった事態が起こらなくなる。さらに既存のオートパワーオフ機能などの省電力機能を付加すれば、さらなる電池の長寿命化を図ることができる。
【００１０】
このようなプリンタとして、上記媒体装填室は、露光により潜像が形成され送出しの際に現像剤が展開されて顕像化されるインスタントフィルムが装填される媒体装填室であり、
上記画像記録部は、上記媒体装填室に装填されているインスタントフィルム上に、所定の副走査方向に移動しながらその副走査方向に交わる主走査方向に並んだ光点を画像データに応じて照射することによりそのインスタントフィルム上に潜像を記録するものであり、
上記送出処理部は、潜像が記録されたインスタントフィルムを送り出しながらそのインスタントフィルムに現像剤を展開するものがある。
【００１１】
いままでであれば、インスタントフィルムが記録媒体になるものにおいては、上記送出処理部が動作するときに上記データ取得部、上記画像記録部すべてに電池の電力が供給されてしまうため、電力消費量が大きく突出していた。そこで、上記送出処理部による記録媒体の送り出しの間は、電力供給制御部に、上記電池からの電力を上記データ取得部、上記画像記録部、および上記送出処理部のうち、その送出処理部にのみ供給させ、いままでよりも小さな省電力量でこのプリンタを動作させるようにしている。
【００１２】
さらに上記電力供給制御部にオートパワーオフ制御を行なわせ、さらに上記送出処理部の動作時には電池の負荷を軽減することで、電池の消費電力量が突出することがなくなり、電池の長寿命化を図れる。
【００１３】
【発明の実施の形態】
図１は本発明の実施形態であるプリンタを、斜め前方から見た斜視図である。
【００１４】
このプリンタは携帯電話などと組み合わされて使用されるものであって、携帯電話から送信されてくる画像データをこのプリンタで受信してインスタントフィルムに印刷を行なうものである。
【００１５】
最近、携帯電話にはＩｒＤＡ（Ｉｎｆｒａｒｅｄ  ＤＡＴＡ  Ａｓｓｏｃｉａｔｉｏｎ）に準拠した赤外線通信を行なえるものがあり、この赤外線通信を使用して自分の持つ情報を他の情報機器へ送信することができる。また、最近の携帯電話にはカメラを備えたものがあり、そのカメラで撮影した画像を携帯電話内のメモリカードなどに画像データを保存することもできる。この携帯電話機内に保存された画像データに基づく画像をユーザが印刷したいと思ったときには、たとえばそのメモリカードをプリンタに装填して画像の印刷を行なったり、専用のアダプタを使用して携帯電話機をパーソナルコンピュータに繋いでＰＣ上で画像を得て、画像の印刷を行なったりしていた。しかし、携帯電話を使用するユーザにとっては、わざわざメモリカードやアダプタを使用しなくても、携帯電話を操作するだけで印刷を行なえないものかと思う人もいる。
【００１６】
本発明のプリンタはそういった思いに応えて開発されたものであり、カメラ付き携帯電話で撮影された画像を、赤外線通信を用いて送信すれば、その画像データに基づいて写真のプリントを行なえる。
【００１７】
本実施形態のプリンタの構成を、図１を参照して説明する。
【００１８】
本実施形態のプリンタの構成を、図１を参照して説明する。
【００１９】
このプリンタ１は可搬型であって携帯電話とこのプリンタ双方を手に持って画像の記録を行なうことが可能な程度の小型かつ軽量の構造を有するものである。このプリンタ１の筐体１ａ内にインスタントフィルムパックが装填され、そのインスタントフィルムパック内の、積層された多数のインスタントフィルムシート一枚一枚に画像の記録が行なわれる。
【００２０】
プリンタ１の筐体１ａの上面には、このプリンタ１の電源の投入および遮断を指示する電源スイッチ（以下電源ＳＷという）１１やプリントスイッチ（以下プリントＳＷという）１２やプリントデータ補正スイッチ（以下プリントデータ補正ＳＷという）１３が設けられている。また、中央には、ＬＣＤパネル１４が設けられており、このＬＣＤパネル１４上にインスタンフィルムシートの残り枚数やプリントデータ補正ＳＷ１３の内容が表示される。また、前述した赤外線通信により送信されてきた画像データを受光する受光素子１５が携帯電話をこのプリンタに対向させ易い位置、ここでは筐体１ａの端部に配備されている。なお、この図１には図示してはいないが、このプリンタ１はＵＳＢ通信用の通信ポートも持っている。
【００２１】
プリントＳＷ１２は、記録媒体への画像の記録が終了した後、その記録が終了した画像と同じ画像を再記録する場合に操作されるものであり、プリントデータ補正ＳＷ１３は、記録媒体に記録される画像の濃淡（Ｄａｒｋ  ｏｒ  Ｌｉｇｈｔ）を調節するためのものであり、このプリントデータ補正ＳＷ１３がＤＡＲＫ側に切り換えられるとその画像データに基づく画像の全体のトーンがやや暗くなった画像がインスタントフィルムシート上に記録され、ＬＩＧＨＴ側に切り換えられると全体のトーンがやや明るくなった画像がインスタントフィルムシート上に記録される。このプリントデータ補正ＳＷ１３が操作された後、プリントＳＷ１２が操作されると、同じ構図の写真でありながら異なった趣の写真が得られる。
【００２２】
図２は後述する光学ヘッドによってそのインスタントフィルムシート上に潜像の記録が行なわれた後、そのインスタンフィルム１００１上の潜像が顕像化されながら、このプリンタの排出口からインスタントフィルム１００１が排出されているときの状態を示す図である。
【００２３】
このプリンタでは、赤外線通信、またはＵＳＢ通信により外部から送信されてきた画像データをこのプリンタにより取得したら、その取得した画像データに基づく潜像の記録が露光によりインスタントフィルム上に行なわれ、図２に示すようにその潜像が記録されたインスタントフィルム１００１が顕像化されながら、プリンタ１外部へ排出される。その後プリントＳＷ１２が操作されたときにも、その画像と同じ画像の再記録が別のインスタントフィルム上に行なわれ、図２に示すようにインスタントフィルム１００１が排出される。
【００２４】
図３は、このプリンタ１を背面斜め後方から見た斜視図である。
【００２５】
このプリンタ１の背面側にはフィルムパック１００を装填するためのフィルムドア１０１ａが設けられており、このフィルムドア１０１ａが開けられ、フィルムパック１００がフィルム装填室１００ａに装填される。このフィルム装填室が本発明にいう媒体装填室に当たる。
【００２６】
また、このプリンタ１の電源となる電池１ｂが装填される電池装填室１０ａもそのフィルム装填室１００ａの隣にある。この電池装填室１０ａにもドアが設けられており、そのドアが開けられ、電池１ｂが装填される。
【００２７】
フィルムドアの内側１０１ａにはバネ部材１０１１ａ，１０１２ａが２つ設けられており、これらのバネ部材１０１１ａ，１０１２ａによってフィルムパック１００内に積層されたインスタントフィルムシートがプリンタ１上面側に押されるようになっている。このような構成によってそのインスタントフィルムパック１００内のインスタントフィルムシートのうち、プリンタの一番上面側にあるインスタントフィルムシート１００１が排出口１１ａに近い位置にまで押し上げられ、その位置に押し上げられたインスタントフィルムシート上に焦点のあった光点が露光により多数記録される。
【００２８】
このようなプリンタ１の内部構成を説明する。
【００２９】
図４は、このプリンタ１の上面側のカバーを外してプリンタ内部を見た図である。
【００３０】
図４に示すように、プリンタ内部に装填されたインスタントフィルムパック内に積層されているインスタントフィルムシートのうち、一番上にあるフィルムシート１００１に対向する位置に光学ヘッド部１６が配設されている。
【００３１】
この光学ヘッド部１６の端部にはラック部材１６１が設けられており、そのラック部材１６１が、筐体１ａに支持されているリードスクリュー１６１ａのネジに螺合している。また光学ヘッド部１６のラック部材１６１が設けられている側とは反対側にはガイド棒１６１１ａが設けられており、このガイド棒１６１１ａに光学ヘッド１６の端部が係合されている。このガイド棒１６１１ａによって光学ヘッド１６が案内されながら、リードスクリュー１６１ａとラック部材１６１の螺合により光学ヘッド１６が移動する。
【００３２】
また図４に示すように光学ヘッド１６にはフラットケーブル１７０が接続されており、このフラットケーブル１７０を介して後述する印刷制御部から画像データに応じた制御信号が供給される。この制御信号は光学ヘッド１６内の後述する液晶シャッタアレイの各シャッタのシャッタスピードを制御するものである。この各液晶シャッタのシャッタスピードが画像データに応じて制御され、ＲＧＢそれぞれに対応する光がインスタントフィルム上に照射され、インスタントフィルムの幅方向に４８０個の光点（ドット）からなる潜像が記録される。以降の説明においてはこの幅方向つまり一次元的に各シャッタが配列されている方向を、主走査方向という。したがってこの各シャッタが主走査方向に電子的に走査されて１ライン分の４８０の光点がインスタントフィルムシート１００１上に記録される。この光学ヘッド１６の電子走査によってインスタントフィルム１００１の主走査方向に４８０ドットからなる光点が記録されたら、後述する印刷制御部からの制御信号に基づいてステッピングモータ１６２ａが駆動されてリードスクリュー１６１ａが所定の角度回転して、今度はその主走査方向と交わる方向に光学ヘッド１６によって４８０ドットづつ光点が順次記録されていく。以降の説明ではこの主走査方向と交わる方向を副走査方向という。この副走査方向には、光学ヘッドの１回の主走査で記録される光点４８０ドット分を１ラインとして６４０ラインの光点がインスタンフィルム全体に渡って記録される。
【００３３】
この光点の集まりによって画像を表わす潜像が記録されたら、展開ローラ１７によりインスタントフィルムシート１００１を挟み込んでインスタントフィルム内の現像剤をインスタントフィルムシート１００１全体に展開させ、潜像を顕像化させながらプリンタ外部へと排出する。このインスタントフィルムシート１００１は自己現像処理型感光材料であり、インスタントフィルム１００１が展開ローラ１７で挟み込まれるとインスタントフィルム内に充填されていた現像剤がインスタントフィルムシート全体に均一に展開され、フィルムシート上の潜像が顕像化されるものである。このように光学ヘッドによってインスタントフィルム上に、所定の副走査方向に移動しながらその副走査方向に交わる主走査方向に並んだ光点を画像データに応じて照射することによりそのインスタントフィルム上に潜像が記録される。
【００３４】
ここで光学ヘッド１６の構成を、図５を参照して説明しておく。
【００３５】
図５は光学ヘッドの構成を示す模式図である。
【００３６】
この図５には導光板１６４の端部に配設された発光素子１６３Ｒ，１６３Ｇ，１６３Ｂの配列順序と、インスタントフィルム上に光点となって照射されるＲ、Ｇ、Ｂの光の進行方向が矢印によって模式的に示されている。
【００３７】
図５に示すように、この光学ヘッド１６は光の３原色であるＲ，Ｇ，Ｂそれぞれの発光素子１６３Ｒ，１６３Ｇ，１６３Ｂと、導光板１６４と、前述した液晶シャッタアレイ１６５と、レンズ１６６とからなる。
【００３８】
図５に示すように、３原色の発光素子１６３Ｒ，１６３Ｇ，１６３Ｂそれぞれが導光板１６４の端部に配設されており、それらの発光素子で発光された光がその導光板１６４によってインスタントフィルム１００１側に導かれる。このインスタントフィルムシート１００１側に導かれた光の進路が導光板１６４によって変更され、インスタントフィルムシート１００１上に照射される。この照射された光は液晶シャッタアレイ１６５の各シャッタを通り、その先にあるセルフォックレンズ（登録商標）１６６を通ってインスタンフィルム１００１まで達する。このように液晶シャッタアレイ１６５の各シャッタによって光量が調節された光が、セルフォックレンズによってインスタントフィルム上に収束されて焦点のあった光点がインスタントフィルム上に多数記録される。ここでは４８０素子の液晶シャッタアレイを用いて画像データに応じて各シャッタのシャッタスピードを制御することで画像データに応じた階調を持つ４８０の光点がインスタントフィルム上に記録される。これが副走査方向にも６４０ライン分記録され、４８０×６４０（ＶＧＡサイズ）の光点がインスタントフィルム上に潜像として記録される。この潜像は、Ｒ，Ｇ，Ｂの３色の光をレンズ１６６によって同一の光点に記録させたカラー画像を表わす潜像である。
【００３９】
これら光学ヘッド１６、展開ローラ１７ｂ、ステッピングモータ１６２ａを駆動する構成ブロック図６を参照して、動作を説明する。
【００４０】
図６に示すように、このＣＰＵ１８０にはこのプリンタ１の電源がオフされてもこのプリンタ１の制御を行なえるように、電池１ｂから電力が直接供給されている。他に電源部１８１と展開モータドライバ１７ａには電池１ｂから電力が直接供給されているが、電源部１８１、展開モータドライバ１７ａはＣＰＵ１８０からの指示がない限り動作しないので電力が消費されない。また、画像処理部１８２、ステッピングモータ１６２１ａ、印刷処理部１８３、揮発性メモリであるＲＡＭ１８４、不揮発性メモリであるＦＬＡＳＨＭＥＭＯＲＹ１８５、画像処理部１８２内の外部ＩＦ１８２１への電力供給は電源部１８１を介して行なわれ、この電源部１８１がＣＰＵ１８０により制御され、ＣＰＵ１８０の指示がない限り、各部には電力が供給されない。このＣＰＵ１８０が本発明にいう電源制御部に当たる。図６には電池１ｂから電力を直接供給する電源線、および電池１ｂから電源部１８１を介して電力を供給する電源線がそれぞれ太線で示されている。なお、図６には点線で制御線と検出線もそれぞれ示してある。
【００４１】
このようにＣＰＵ１８０により電源部１８１の出力のオンオフを制御することによって電力消費が抑えられ、電池１ｂの長寿命化が図られる。前述したようにこのプリンタ１の電池装填室１０ａに電池１ｂが装填されると、その電池１ｂで長期に渡ってこのプリンタが使用される。
【００４２】
また、ＣＰＵ１８０には図１に示した各種スイッチ１０が接続されており、これらの各種スイッチ１０の操作に応じて図６に示す各部の制御を行なう。この各種スイッチのうち、電源ＳＷ１１が投入された後、赤外線通信またはＵＳＢ通信により画像データが外部から送られ、このプリンタが画像データを取得したときには各種スイッチ１０のプリントＳＷ１２の操作に拠らずこのＣＰＵ１８０の制御の基に画像の記録が行なわれる。
【００４３】
このＣＰＵ１８０には、光学ヘッド１６の温度を検出する温度センサ１８０Ａと、光学ヘッド１６の記録開始位置を検出する原点センサ１８０Ｂと、光学ヘッド１６の終端位置を検出する終端センサ１８０Ｃからの検出信号が供給されており、ＣＰＵ１８０では温度センサ１８０Ａからの検出信号に応じて光学ヘッド１７内の各シャッタのシャッタスピードを印刷制御部１８３に制御させるとともに、光学ヘッド１７を副走査方向に移動させるときの移動開始位置と、終端位置とをそれぞれ原点センサと終端センサにより検出して、印刷制御部１８３にステッピングモータ１６２ａを制御させている。
【００４４】
ここで、電源ＳＷ１１が投入された後、外部から画像データが送信されてきたときに、ＣＰＵ１８０がどのような動作を各部に行わせるかを説明する。
【００４５】
赤外線通信により画像データが外部からこのプリンタ１に送られてきたときには、外部Ｉ／Ｆ１８２１を有する画像処理部１８２がその赤外線を受光素子１５によって受光したときにＣＰＵ１８０に対し受信有りの信号を出力する。ＣＰＵはこの信号を受けて画像処理部１８２にＲＡＭ１８４とＦＬＡＳＨＭＥＭＯＲＹ１８５双方の画像データの消去を行なわせる。さらに、画像処理部１８２に新たな画像データの受信を行なわせ、その受信した画像データを、バスを介してＲＡＭ１８４に記憶させる。このＣＰＵ１８０と画像処理部１８２とＲＡＭ１８４とが本発明にいう画像取得部に当たる。
【００４６】
ＣＰＵ１８０は，この画像取得部に外部からの画像データを取得させたら、そのＲＡＭ１８４に格納されている画像データを画像処理部１８２に読み出させ、その画像処理部１８２でプリントデータを生成させる。なお、このプリントデータとは画像処理部で適当な処理を施し、光学ヘッド１７の各シャッタのシャッタスピードを制御することができるようになったデータを指しており、上記画像取得部により取得された画像データとは異なる。以降の説明においては、双方のデータを区別するため、プリントデータに対し、上記画像取得部により取得され、ＲＡＭに格納された画像データをプリント前データと呼ぶ。
【００４７】
ＣＰＵ１８０は、このプリントデータを画像処理部１８２に生成させたら、画像処理部１８２にそのプリントデータの転送を行なわせ、印刷制御部１８３に各シャッタのシャッタスピードの制御を行なわせる。そうすると、そのプリントデータに応じて、主走査方向に配列されている各シャッタの開口時間つまりシャッタスピードが制御され、各シャッタを通過するＲ，Ｇ，Ｂ３色の光量がそれぞれ調節される。さらに印刷制御部１８３に、ステッピングモータドライバ１６２１ａを制御させ、ステッピングモータ１６２ａにより光学ヘッド１６を副走査方向に走査させ、その走査の度にプリントデータに応じて各シャッタのシャッタスピードを、印刷制御部１８３に制御させ、副走査方向の各光点の光量をそれぞれ調節させる。このようにしてすべての光点の光量を調節させ、それらの光点の集まりからなる画像を表わす潜像をインスタントフィルム上に記録させる。この印刷処理部１８３と光学ヘッド１７とステッピングモータ１６２ａとステッピングモータドライバ１６２１ａが本発明にいう画像記録部に当たる。
【００４８】
この画像記録部によってインスタントフィルム上に潜像を記録させた後、ＣＰＵ１８０は電源部１８１の出力をオフさせ、展開モータドライバ１７ａにより展開モータ１７を駆動させる。
【００４９】
この展開モータ１７により展開ローラを回転させ、インスタントフィルムを挟み込ませながら、現像液をインスタントフィルム全体に展開させ、潜像を顕像化させてインスタントフィルムをプリンタ外部へと排出させる。
【００５０】
以上が、電源ＳＷ１１により電源が投入された後、赤外線通信またはＵＳＢ通信により画像データが送られてきたときにＣＰＵ１８０が各部に行なわせる処理である。
【００５１】
次に、プリントＳＷ１２が操作されたときにＣＰＵ１８０が各部に行なわせる処理を説明する。
【００５２】
プリントＳＷ１２が操作されたことを受けて、ＣＰＵ１８０は画像処理部１８２にＲＡＭ１８４に格納されている画像データの読み出しを行なわせる。このＣＰＵが画像出力指示取得部に当たる。この読み出した画像データに基づいて画像処理部１８２にプリントデータを生成させ、印刷処理部１８３へ転送させる。印刷処理部１８３ではそのプリントデータに基づき、光学ヘッド１７の各シャッタを制御してインスタントフィルム上に照射される光量をそれぞれ調節させる。この各光点の光量をそれぞれ調節させることによってインスタントフィルム上に画像データに応じた光量が照射され、画像データに応じた潜像が記録される。
【００５３】
ＣＰＵ１８０は、この潜像の記録が終了したことを終端センサ１８０Ｃの検出信号の変化により検出して、ＣＰＵ１８０から電源部１８１に電源部１８１の出力をオフさせる指示を出すとともに、展開モータドライバ１７ａに展開モータ１７の駆動指示を出す。
【００５４】
展開モータ１７によりインスタントフィルムを展開ローラ側に送り出させるための爪（図示せず）を駆動させ、インスタントフィルムを展開ローラ側に送り出させ、さらに展開ローラにインスタントフィルムを挟持させ、インスタントフィルムをプリンタ外部へと排出させる。この展開ローラに挟持させることにより、インスタントフィルム内に充填されていた現像剤をインスタントフィルム全体に展開させ、潜像を顕像化させる。この展開モータ１７と展開モータドライバー１７ａと展開ローラ１７ｂと爪とが本発明にいう送出処理部に当たる。
【００５５】
このようにしてプリントＳＷ１２が操作されたときには、ＲＡＭ１８４内に格納されている画像データに基づく画像がインスタントフィルム上に記録される。
【００５６】
また、このプリントＳＷの操作は電源が遮断された後でも行われることがあるので、本実施形態のプリンタでは、画像データの退避、復帰という処理を行なえるように不揮発性メモリが配備されている。
【００５７】
そこでこの不揮発性メモリを使用して、電源ＳＷ１１により電源が遮断されたとき、あるいは本実施形態のプリンタが有するオートパワーオフ機能が働いたときには、ＲＡＭ１８４内の画像データの不揮発メモリへの転送を画像処理部１８２に行なわせ、ＲＡＭ１８４にあった画像データの退避を行なわせている。
【００５８】
また、電源ＳＷ１１が再投入されたときに、画像処理部１８２にその不揮発性のＦＬＡＳＨＭＥＭＯＲＹ１８５に格納されている画像データの転送を行なわせ、そのＦＬＡＳＨＭＥＭＯＲＹ１８５内にあった画像データをＲＡＭ１８４に復帰させている。
【００５９】
このＣＰＵ１８０と画像処理部１８２とが本発明にいう画像データ転送部に当たる。
【００６０】
さらに、一度画像の記録を行なってから、時間があまり経過しすぎると、画像データが古くなりすぎ、ユーザが誤ってプリントＳＷ１２を操作してしまった場合に不要な画像が記録されてしまうことも予想される。このようなことが起こると、インスタントフィルムシートが無駄遣いされてしまうので、ＣＰＵ１８０は、タイマにより所定時間経過した後は、印刷処理部に記録処理を行なわせないようにしている。
【００６１】
ここでは、再記録禁止の処理として、ＲＡＭ１８４とＦＬＡＳＨＭＥＭＯＲＹ１８５双方の画像データを残して、表示により記録すべき画像がないということをユーザに知らせている。なお、ＣＰＵ内のタイマにより所定時間を計時しているので、その計時された時間を判定基準にして揮発性メモリ、不揮発性メモリ内の画像データをＣＰＵ１８０と画像処理部１８２とからなる画像データ消去部に消去させ、画像ＥＭＰＴＹをＬＣＤパネル上に表示させても良い。
【００６２】
この画像データの退避、復帰、消去、プリントＳＷの操作を無効にするといった処理をＣＰＵ１８０がどのように行なっているかを、以降のフローチャートを参照しながら随時説明する。
【００６３】
図７は、ＣＰＵ１８０が行なう処理の手順を示すフローチャートである。
【００６４】
図７にはメインプロセスが示されている。
【００６５】
図８から図１６にはメインプロセスの各ステップの処理の詳細が示されている。
【００６６】
まず、図７を参照してＣＰＵ１８０で行なわれるメインルーチンの処理を説明する。
【００６７】
電池１ｂが投入されたら、まずステップ７０１で各部の初期設定を行なう。この初期設定によってＣＰＵ１８０に供給されるクロックの発振周波数の設定を行なう。このＣＰＵ１８０は、低消費電力モードを有しており、この低消費電力モードのときには遅いクロックで動作する。次のステップＳ７０２でＦＬＡＳＨＭＥＭＯＲＹ１８５内の画像データの削除を行なう。ここでは例えば出荷前の検査用の画像データがＦＬＡＳＨＭＥＭＯＲＹ１８５内に残っていると困るので画像処理部に画像データの消去を行なわせている。
【００６８】
ステップＳ７０３で、電源ＳＷ１１が投入されるのを待ち受け、電源ＳＷ１３が投入されたら、ステップＳ７０４で電源ＯＮ処理を行なう。この電源ＯＮ処理ではＬＣＤパネル上にメニューを表示したり、クロックのスピードを速めてＣＰＵ１８０の処理速度を上げることを行なう。
【００６９】
次のステップＳ７０５で、ＣＰＵ１８０側に入力される信号の状態が遷移するのを待ち受ける待ち受け状態に移行する。
【００７０】
ここでは、ＣＰＵ１８０が、このＣＰＵ１８０に入力される状態の遷移を監視する項目として、プリントＳＷ１２、あるいはプリントデータ補正ＳＷ１３が操作され、ＯＮ側に切り換えられること、画像データが外部ＩＦ１８２１で受信され、受信信号が検出されること、電源ＳＷ１１がオフ側に切り換えられること、本実施形態のプリンタが有するオートパワーオフ機能が働くことを掲げている。
【００７１】
ＣＰＵ１８０は、これらの入力の状態のいずれかが遷移したと判定したら、その遷移した状態に対応する処理を各部に行なわせる。
【００７２】
まずステップＳ７０６で、プリントデータ補正ＳＷがＯＮ側に操作されたことを受けて、画像処理部内のプリントデータ補正ＳＷ処理プロセスを起動し、プリントデータ補正ＳＷの操作内容に応じた画像データの補正係数を画像データに設定させ、また待ち受け状態に戻る。
【００７３】
また、携帯電話から画像データが送信され、外部ＩＦ１８２１が画像データの受信を検出したことを受けて、ステップＳ７０７で画像処理部１８２内の赤外線通信プロセスを起動し、画像処理部１８２内の外部ＩＦ１８２１とＲＡＭ１８４とからなる画像取得部によって画像データを取得する。この画像取得部により画像データを取得したら、ステップＳ７１３からステップＳ７１５で各処理を行なわせてインスタントフィルムを外部に排出させる。ステップＳ７０８でＵＳＢ通信により画像データを取得したときにもこのステップＳ７０７と同様の処理が行なわれる。
【００７４】
次に、プリントＳＷ１２が操作されＯＮ側に切り換えられた場合には、ステップＳ７０９でＣＰＵ内のタイマ値を参照してタイムオーバだったら、ステップＳ７０５の待ち受け状態に戻る。またタイマ値を参照して所定の時間以内だったら、ステップＳ７１０へ移行しプリントデータＲＡＭ展開処理を行なって、ＲＡＭに画像データを復帰させ、画像データに基づく画像の記録処理をステップＳ７１３からステップＳ７１５で行なわせる。この実施形態では、このプリントＳＷ１２が操作されＯＮ側に切り換えられたことを出力操作指示として、出力指示取得部であるＣＰＵ１８０にその出力操作指示を受けさせ、画像の記録処理を行なわせている。
【００７５】
さらに、電源ＳＷ１１がｏｆｆ側に切り替えらるか、またはオートパワー機能が働いた場合には、ＣＰＵ１８０内の電源ｏｆｆ処理プロセスを起動し、ＣＰＵ内１８０のタイマ値を参照して、そのタイマ値が所定の時間以内であることを検知したら、上記画像転送部に当たる画像処理部１８２にＲＡＭ１８４に格納されている画像データの転送を行なわせ、ＦＬＡＳＨＭＥＭＯＲＹ１８５に画像データを退避させる。その後、各部の電源ｏｆｆ処理を行なって、メインルーチンへ戻る。
【００７６】
この実施形態では、この電源ＳＷ１１がｏｆｆ側に切り換えられるか、またはオートパワーオフ機能が働いたことを電源の遮断指示としてＣＰＵ１８０にその電源の遮断指示を受けさせ、その遮断指示に応じて遮断処理を行なわせている。
【００７７】
ここでＣＰＵの監視項目であるいずれかの状態の遷移が起こったときに起動される各プロセスを詳細に説明する。
【００７８】
図８はＣＰＵ１８０が行なう待ち受け処理の詳細を示すフローチャートである。
【００７９】
このフローは繰り返し実行されており、いずれかの状態が変化したらその状態に対応するいずれかのプロセスが起動される。
【００８０】
まず、ステップＳ８０１で、赤外線通信、ＵＳＢ通信により画像データが送信されてきたかどうかの待ち受けを行なうに当たり、外部ＩＦをＯＮさせる。
【００８１】
ステップＳ８０２からステップＳ８０７で、図７のフローチャートのステップＳ７０５からステップＳ７１０に対応する待ちうけ制御を行なう。
【００８２】
ステップＳ８０２で上記監視項目の１つとして掲げたプリントＳＷ１１のＯＮ側への遷移が検出される。このステップＳ８０２でプリントＳＷ１１の操作が検出されたら、ステップＳ８０８へ進み、タイマ値を判定する。このタイマは図７のステップＳ７１３でプリント処理プロセスが起動してインスタントフィルムの排出が完了した後スタートするものであって、このタイマ値が所定の時間以上になってタイムオーバになっていたらステップＳ８０２へ戻る。このステップＳ８０２で所定の時間以内であることを検知したら、ステップＳ８０９でＲＡＭ展開処理プロセスにジャンプしてＲＡＭ展開処理プロセスを起動する。前述したようにプリントＳＷが操作されたときには、画像の再記録が行なわれるので、時間が経過している場合にはそのプリントＳＷの操作が誤操作である可能性もある。そこで、ステップＳ８０８でタイマ値を検出してから、プリントデータＲＡＭ展開処理へ進めている。ここでは、このタイマの判定結果に応じて、待ち受け状態に戻して、ＲＡＭの展開処理を画像処理部に行なわせずに再記録を禁止している。なお、この判定結果に基づいて、図７のステップＳ７０２へ戻り、ＦＬＡＳＨＭＥＭＯＲＹ、ＲＡＭ内の画像データを消去する部分に戻り、待ち受け状態にスキップさせても良い。
【００８３】
次のステップＳ８０３でプリントデータ補正ＳＷが操作されＯＮ側に切替られたことを検出したら、プリントデータ補正ＳＷ処理プロセスへジャンプしてステップＳ８１０で画像処理部１８２内のプリントデータ補正ＳＷ処理プロセスを起動する。前述したようにプリントデータ補正ＳＷ１３は、画像の濃淡を調節するものであるので、このプリントデータ補正ＳＷ１３が操作されたら、プリントデータ補正ＳＷプロセスを起動して、画像処理部１８２に画像データを補正するための補正係数の設定を行なわせる。
【００８４】
次のステップＳ８０４で外部ＩＦからの検出信号に基づいて赤外線通信要求があることをＣＰＵ１８０が検出したら、ステップＳ８１１で赤外通信処理プロセスへジャンプして赤外線通信処理プロセスを起動する。例えば携帯電話からプリンタの受光部１５に向かって赤外線により画像データが送信されると、受光素子１５を経由して画像処理部１８２内の外部ＩＦ１８２１に画像データが供給され、この外部ＩＦから受信有という検出信号が出力される。そこでこの検出信号を以って赤外線通信要求として赤外通信処理プロセスを起動する。
【００８５】
次のステップＳ８０５もステップＳ８０４と同様でＵＳＢ通信によって画像データが送信されてきたことを外部ＩＦで受け、受信有という信号がその外部ＩＦを有する画像処理部１８２から出力されたことを以ってＵＳＢ通信処理プロセスを起動して画像処理部１８２内の外部ＩＦ１８２１により画像データを受信させる。
【００８６】
上記ステップＳ８０４とステップＳ８０５で画像データが取得された場合には、プリンタＳＷの操作を待たずに、すぐに画像記録部によりインスタントフィルム上に潜像が記録され、展開ローラによりインスタントフィルムを展開させながら顕像化されたインスタントフィルムをこのプリンタ外部へと排出させる。
【００８７】
またステップＳ８０６では、電源ＳＷ１１がオフに切り換えられたことを以って、ステップＳ８１３でＣＰＵ１８０内の電源ｏｆｆ処理プロセスを起動する。
【００８８】
またステップＳ８０７ではタイマによりタイムアウトが検知されオートパワーオフ機能が働いたことを以ってステップＳ８１４でオートｏｆｆ処理プロセスを起動する。
【００８９】
このように、いずれかの入力状態が変化したら、いずれかのプロセスが起動される。
【００９０】
ここで図８の各ステップＳ８０２〜Ｓ８０７の処理の詳細を説明する。
【００９１】
図９は図８のステップＳ８０９の処理手順を示すフローチャートである。
【００９２】
まず、プリントＳＷが操作され、タイマ値が所定の時間以内であったら、ステップＳ９０１で赤外線通信、ＵＳＢ通信の送受信部を有する外部ＩＦの電源をＯｆｆして新規の画像データの受付を拒否する。
【００９３】
ステップＳ９０２でＲＡＭ上にプリントデータがあるかどうかを画像処理部１８２に判定させ、ＲＡＭ１８４に画像データがあったらＹｅｓ側に進み、メインルーチンに戻って記録処理へ進む。このステップＳ９０２でＲＡＭ１８４上に画像データがなかったらＮｏ側に進み、画像処理部１８２にＦＬＡＳＨＭＥＭＯＲＹ１８５からＲＡＭ１８４上への画像データの転送を行なわせる。この画像データの中にはプリントデータ補正ＳＷ１３の操作内容も書き込まれているので、次のステップＳ９０４で、その画像データの中からプリントデータ補正ＳＷ１３の操作内容をＣＰＵ１８０が受け取り、ＬＣＤパネル１４上にその情報を表示する。そしてメインプロセスに戻り、記録処理へと進む。
【００９４】
図１０は、図８のステップＳ８１０の処理手順を示すフローチャートである。
【００９５】
このステップの処理は画像処理部内の画像処理プロセスの中で行なわれる。
【００９６】
プリント補正ＳＷ１３がＯＮ側に切り換えられたことをＣＰＵ１８０で検出して、その検出した内容を画像処理部１８２に伝えて画像処理部１８２にプリントデータ補正用の内部係数を設定させる。このプリントデータ補正ＳＷ１３は通常ＮＯＲＭＡＬ状態にあるものが、１回押されるとＤＡＲＫ（暗いトーン）、もう１回押されるとＬＩＧＨＴ（明るいトーン）、さらにもう１回押されるとまたＮＯＲＭＡＬに戻るといったようにトグル動作を行なう。そこでＣＰＵ１８０ではこのトグル操作の操作内容を判読して、画像処理部１８２にその内容を伝え、ステップＳ１００１で内部係数を変更させ画像データに設定させるとともに、次のステップＳ１００２でＬＣＤパネル１４上にプリントデータ補正ＳＷ１３の操作内容（Ｎ→Ｄ→Ｌなど）を表示する。このプロセスの処理を終了してメインプロセスに戻る。
【００９７】
図１１は、赤外線通信処理プロセスを示すフローチャートである。
【００９８】
外部ＩＦを通じて赤外通信要求があった場合、古い画像データが必要なくなるので、ステップＳ１１０１でＦＬＡＳＨＭＥＭＯＲＹ１８５とＲＡＭ１８４に古い画像データがあったら画像処理部１８２にその古い画像データを消去させる。つまり画像データ取得部により外部からの新たな画像データの取得が開始されたことを受けて、不揮発性メモリであるＦＬＡＳＨＭＥＭＯＲＹ１８５に格納されている画像データと、揮発性メモリであるＲＡＭ１８４に格納されている画像データとの双方をＣＰＵ１８０または画像処理部１８２によって消去する。
【００９９】
次のステップＳ１１０２で携帯電話とプリントＳＷの間で通信を行うに当たり、外部ＩＦに携帯電話と必要な情報交換を行なわせ、赤外線通信を行なえるように通信速度などの通信条件を交渉させ、この交渉が締結したらネゴシエーションが確立したとして次のステップＳ１１０３で通信速度の変更を外部ＩＦ１８２１に行なわせる。次のステップＳ１１０４で画像処理部１８２に画像データの受信を行なわせその受信した画像データをＲＡＭ１８４に書き込ませる。
【０１００】
ステップＳ１１０５で画像データを最後まで受信してＲＡＭ１８４に書き込ませたかどうかを判定し、途中だったらＮｏ側へ進み、最後まで画像データの受信を外部ＩＦ１８２１に行なわせ、画像データを最後まで受信してＲＡＭ１８４に画像データを書き込ませたら、ステップＳ１１０５でＹｅｓ側に進み、電源部１８１の出力のうち、外部ＩＦ１８２１への電力供給をオフさせ、メインプロセスに戻る。ステップＳ１１０５で画像処理部１８２のプロセスでデータの受信に失敗したことがＣＰＵ１８０側に出力されたら、ＣＰＵ１８０はこのプロセスを直ちに終了させ、メインプロセスへ戻る。
【０１０１】
図１２は、ＵＳＢ通信処理プロセスのフローチャートである。
【０１０２】
ＵＳＢ通信により画像データが送信されてきたときにはこのフローにしたがって処理を行なうが、赤外通信の処理と同様の処理を行なう。
【０１０３】
図１３は電源ｏｆｆおよびオートｏｆｆ処理プロセスのフローチャートである。このプロセスも、ＣＰＵ１８０と画像処理部１８２とからなる画像転送部が行なうものである。
【０１０４】
まず、ステップＳ１３０１で、１つ前の画像の記録が行なわれたときに起動されたタイマ値を参照する。ここでタイムアウトだったら、ＲＡＭ１８４の画像データをＦＬＡＳＨＭＥＭＯＲＹ１８５へ退避させずにステップＳ１３０７でＦＬＡＳＨＭＥＭＯＲＹ１８５の画像データを消去し、ステップＳ１３０３へ移行する。またステップＳ１３０１でタイマ値が所定の時間以内であったら、ステップＳ１３０２へ移行し、ステップＳ１３０２でＦＬＡＳＨＭＥＭＯＲＹ１８５への画像データの転送を画像処理部１８２に行なわせ、画像データを退避させる。こうしておくと、所定の時間以内であれば電源ＳＷ１１が再投入されたときに画像の再記録をすぐに行なえる。また古い画像データを電源の遮断処理時に消去することもできる。
【０１０５】
ここではＦＬＡＳＨＭＥＭＯＲＹ１８５の容量をなるべく小さくしたいので、プリント前データをＦＬＡＳＨＭＥＭＯＲＹ１８５に退避させているが、ＦＬＡＳＨＭＥＭＯＲＹ１８５の容量が充分にあれば、画像処理後のプリントデータをＦＬＡＳＨＭＥＭＯＲＹ１８５に退避させても良い。画像処理後のプリントデータを退避させておくと、ＲＡＭ１８４に復帰させるべく画像データをＦＬＡＳＨＭＥＭＯＲＹからＲＡＭに転送した後、ステップＳ７０９のプリント前処理プロセスが省かれ、プリント処理プロセスをいち早く起動させることができる。
【０１０６】
次のステップＳ１３０４で画像処理部１８２内の外部ＩＦ１８２１への電力供給を電源部１８１に停止させ、赤外線通信機能とＵＳＢ通信機能をオフさせる。ステップＳ１３０４で電源部１８１に画像処理部１８２への電力供給も停止をオフさせる。
【０１０７】
次のステップＳ１３０５でＬＣＤパネルを消灯させ、ステップＳ１３０６でＣＰＵを低消費電力モードにしてメインルーチンに戻る。
【０１０８】
これらの待ち受け処理のうち、赤外通信処理プロセス、ＲＡＭ展開処理プロセスが起動された後、図７のフローチャートのステップＳ７１３からＳ７１５までの処理が行なわれるので、図７のステップＳ７１３、Ｓ７１４、Ｓ７１５の処理の詳細を説明する。
はステップＳ７１３のプリント前処理プロセスのフローチャート、図１５はステップＳ７１４のプリントデータ処理のフローチャート、図１６はステップＳ７１５のフィルム排出処理のフローチャートである。
【０１０９】
まず画像処理部が行なうプリント前処理を、図１４を用いて説明する。
【０１１０】
携帯電話から送信され、受信したデータがどのような画像データであるかが分からないので、このフローではこのプリンタで画像の記録を行なうために必要な処理を行なう。
【０１１１】
ステップＳ１４０１で非圧縮データであるかどうかを判定する。ここで非圧縮データであれば画像データの伸張を行なう必要がないので、Ｙｅｓ側に進み、次のステップＳ１４０２へ移行する。ここで画像データが圧縮データであったらＮｏ側に進みステップＳ１４０３で圧縮データの伸張処理を画像処理部に行なわせる。次のステップＳ１４０２で、このプリンタ１での画像の記録に適した解像度であるかどうかを判定する。このプリンタ１に適した解像度である場合（例えば４８０×６４０のＶＧＡサイズである場合）には、Ｙｅｓ側に進み、次のステップＳ１４０５へと移行する。このプリンタ１に適した解像度でない場合（例えば縦横比が異なる場合）にはＮｏ側に進み、ステップＳ１４０４で解像度の変換を画像処理部に行なわせる。次のステップＳ１４０５でプリントデータ補正ＳＷが操作されていないかどうかを判定する。この画像データにプリントデータ補正ＳＷが操作されていない場合には、Ｙｅｓ側に進み、次のステップＳ１４０７へと移行する。ここでプリントデータ補正ＳＷにより画像データに補正が施されている場合には、次のステップＳ１４０８でプリントデータ補正処理を行なう。図１４には、輝度データＹにオフセット調整（±Ａ）を行なった場合の変換例が示されている。
【０１１２】
そして次のステップＳ１４０７で画像の記録に適した色空間であるかどうかを判定する。ステップＳ１４０７で適さないと判定されたらＮｏ側に進み、輝度データＹおよびクロマデータＣからなる表示用画像信号（ＹＣ信号）である場合には、ステップＳ１４０８でＹＣ信号をＲＧＢ信号に変換する。そしてＲＧＢ信号からなるプリントデータを生成する。
【０１１３】
このプリントデータが画像処理部で生成されたら、印刷処理部にプリントデータが転送され、印刷処理部で画像の記録処理が行なわれる。
【０１１４】
図１５は印刷処理部のプリント処理プロセスのフローチャートである。
【０１１５】
ステップＳ１５０１でまず、印刷処理部に光学ヘッドの駆動部に当たるステッピングモータ１６２１ａと光学ヘッド１６への電力供給を行なわせ、次のステップＳ１５０２で印刷処理部１８３にステッピングモータ１６２１ａの駆動を開始させる。次のステップＳ１５０３で印刷開始タイミングであるかどうかを判定する。この印刷開始タイミングであるかどうかは、印刷処理部から各シャッタにデータを転送するタイミングを指しており、ここでは、光学ヘッド１６の位置が原点センサ１８０Ｂ側にあるかどうかを判定している。ステップＳ１５０４で、光学ヘッド１６が原点位置にあると判定したら、Ｙｅｓ側に進み、印刷処理部に光学ヘッドのシャッタ部のシャッタスピードの制御を開始させるためプリントデータの転送を開始させる。その転送されたプリントデータに応じて光学ヘッドの各シャッタのシャッタスピードを印刷制御部に制御させ、４８０ドット分の光点を記録する。この主走査方向の４８０ドット分の光点を光学ヘッドにより記録させたら、ステッピングモータを駆動させ、光学ヘッドの位置を１ライン分移動させ、次の主走査方向の１ライン分の光点を記録させる。さらに光学ヘッド１６をステッピングモータ１６２１ａにより１ライン分ずつずらして光点を次々と記録していく。
【０１１６】
次のステップＳ１５０５でプリントデータ終了かどうかを判定し、転送すべきプリントデータが印刷制御部１８３内に無かったら、Ｙｅｓ側に進み、ステップＳ１５０７へ移行する。転送すべきプリントデータがまだ印刷制御部１８３内にあったら、Ｎｏ側に進み、ステップＳ１５０６で印刷領域終了であるかどうかを判定する。ここでは画像の記録領域終了を示す終端センサ１８０Ｃの出力が変化していなかったらＮｏ側に進み、ステップＳ１５０５へと戻る。
【０１１７】
このステップＳ１５０６で終端センサの出力が変化して光学ヘッドの位置が印刷領域終了部にあると判定したら、Ｙｅｓ側に進み、ステップＳ１５０７へ移行する。
【０１１８】
ステップＳ１５０７で、印刷制御部１８３での光学ヘッド１６の制御を終了させ、プリントデータの転送を停止させる。ステップＳ１５０８で印刷制御部にステッピングモータ１６２１ａの駆動も終了させ、光学ヘッド１６への電力供給を停止させる。次のステップＳ１５１０でタイマをスタートさせ、次の画像の記録を行なうまでの時間の計時を開始する。この計時により、この画像の記録が行なわれた後、次の画像の記録が行なわれるまでの時間が計時される。このタイマでの計時結果が画像データの転送を行なわせるか否かまた画像データの消去を行なわせるか否かの判定基準となる。
【０１１９】
このフローの処理が終了したらインスタントフィルムの排出処理を開始させる。
【０１２０】
図１６はインスタントフィルムのフィルムの排出処理プロセスのフローチャートである。
【０１２１】
まずステップＳ１６０１で電源部１８１に出力をオフさせる。次のステップＳ１６０２で展開モータを駆動し、展開モータにより展開ローラを回転させる。次のステップＳ１６０３でフィルムの排出処理が終了したかどうかを判定する。インスタントフィルムの排出が検出されたら、展開モータの駆動を停止する。この排出の完了を検出するときには、通常の排出処理に要する時間以内（タイムアウト前）に、インスタントフィルムがプリンタ内部にないことがセンサで検出される。
【０１２２】
ここでフィルムの排出が完了し、Ｙｅｓ側に進んだら、次のステップＳ１６０４で展開モータをオフさせ、ステップＳ１６０５で赤外線通信、ＵＳＢ通信を有する外部ＩＦ１８２１への電力の供給を断つ。
【０１２３】
このようにしてＣＰＵ１８０の省電力モードおよびオートパワーオフ機能を駆使し、さらに画像データを取得してから記録媒体の一連の展開処理が行なわれてインスタントフィルムが排出されるまで、ＣＰＵ１８０により必要なところにのみ電力を供給させるとともに、送出処理部に記録媒体を送出させるときには、ＣＰＵ１８０により電源部１８１の出力をオフさせ、送出処理部に当たる展開モータおよび展開モータドライバのみ電力を供給させることによって、このプリンタの電力消費を極力抑えている。
【０１２４】
図１７は本発明の作用を示す図である。
【０１２５】
図１７は表になっており、縦軸には図７のフローチャートの各ステップに対応する番号がそれぞれ示され、横軸には図６に示す各構成要素がそれぞれ示されている。
【０１２６】
図１７を参照して作用を説明する。
【０１２７】
図１７の※２、※３では電池１ｂからＣＰＵ１８０に電力が供給されるが、低消費電力モードである低速動作をＣＰＵ１８０に行なわせて電力の消費が極力抑えられている。
【０１２８】
図１７の※４で電源ＳＷ１１が操作されたらＣＰＵ１８０が通常モードになり、電池１ｂからやや大きめの電力がＣＰＵ１８０に供給されるが、ここでもまだそれほどの電力が消費されない。さらに、図７の※５で待ち受け処理に入っても図８の各ステップを繰り返し実行させるだけなので、さほどの電力が消費されない。また※６ではプリントデータ補正ＳＷのトグル操作に応じて画像処理部を動作させるだけなので、ここでもさほど電力消費がない。
【０１２９】
ここから各部にまたがって電池から電力の供給が行なわれ、電力消費量が上がり始める。
【０１３０】
図１７の※７では、受光素子で受信した画像データを、外部ＩＦ１８２１、画像処理部１８２、バスを介してＲＡＭ１８４に書き込まなければならないので、これらの部分に電力が供給されている。さらに、ＦＬＡＳＨＲＯＭをスタンバイ状態にさせるためＦＬＡＳＨＭＥＭＯＲＹ１８５にも電力が供給されている。図１７の※８も※７と同様である。
【０１３１】
図１７の※７から図１７の※１２までは、外部ＩＦ１８２１に電力が供給されるかされないか以外は、ほぼ同等の電力が消費されている。
【０１３２】
図１７の※１３になると、これらに比べて印刷制御を行なう分だけ、少し電池の電力の消費が上がり始める。いままであれば、この図１７の※１３の状態で※１４の展開モータを駆動させたため、消費電力が突出して上がってしまっていた。そこで、電源部１８１の出力をＲＡＭ以外に電力供給を行なう以外オフさせ、図１７の※１４のときには展開モータのみを駆動して排出処理を行なわせている。
【０１３３】
図１８は本発明のプリンタの電力消費量と従来のプリンタとの電力消費量の対比を示すグラフである。図１８の縦軸には、待ち受け状態、データ受信、画像の記録をインスタントフィルムに行なう印刷処理、インスタントフィルムの排出処理といった各プロセスが示されており、横軸には電力消費量が示されている。
【０１３４】
図１８のグラフに示すように、従来は、データ受信処理（ｃ）と印刷処理（ｄ）と排出処理（ｅ）とを並行して各部に行なわせているため、インスタントフィルムシートの排出処理中に電池から各部に電力が供給され、電力消費量が大きくなっている。
【０１３５】
これに対し、本発明のプリンタでは、電源部１８１を設けてその電源部１８１とＣＰＵ１８０により排出処理中の他の処理部への電力供給を停止させているため、データ受信中に消費される電力（ｃ）とプリントデータ処理中に消費される電力（ｄ）との合計電力と排出処理中に消費される電力量（ｅ）とがほぼ均等化されている。
【０１３６】
このように負荷の状態が均等化され、突出した電力消費がなくなると、電池からは、常時ほぼ同じ電力量が消費され、電池の長寿命化を図れる。
【０１３７】
なお本実施形態では記録媒体としてインスタントフィルムを例にとり、そのインスタントフィルムに画像の記録を行なうプリンタを挙げたが、普通紙を記録媒体としてその普通紙に記録を行なうプリンタであっても良い。
【０１３８】
【発明の効果】
以上、説明したように、本発明のプリンタによれば、電池の長寿命化を図ったプリンタを提供することができる。
【図面の簡単な説明】
【図１】本発明の実施形態であるプリンタを斜め上方から見た斜視図である。
【図２】プリンタ内部に装填されたインスタントフィルムがプリンタ外部に排出されるときの状態を示す図である。
【図３】本発明の実施形態であるプリンタの背面を斜め上方から見た斜視図である。
【図４】図１のプリンタの表面カバーを取り外し、前方斜め上方からそのプリンタ内部を見た図である。
【図５】図４に示した光学ヘッドの構成を示す模式図である。
【図６】プリンタ内部の信号処理系統の構成ブロック図である。
【図７】図６のＣＰＵが行なう処理手順を示すフローチャートである。
【図８】図７のステップの待ち受け処理の手順を示すフローチャートである。
【図９】図７、図８のステップに示すプリントデータプリントデータ補正ＳＷ処理プロセスの手順を示すフローチャートである。
【図１０】図７、図８のステップに示す赤外線通信処理プロセスの処理手順を示すフローチャートである。
【図１１】図７、図８のステップに示すシリアル通信処理プロセスの処理手順を示すフローチャートである。
【図１２】図７、図８のステップに示すプリントデータＲＡＭ展開処理プロセスの処理手順を示すフローチャートである。
【図１３】図７、図８のステップに示すプリントデータ電源ｏｆｆ処理プロセスおよびオートｏｆｆ処理プロセスの処理手順を示すフローチャートである。
【図１４】図７のステップに示すプリント前処理プロセスの処理手順を示すフローチャートである。
【図１５】図７のステップに示すプリント処理プロセスの処理手順を示すフローチャートである。
【図１６】図７のステップに示すプリント排出処理プロセスの処理手順を示すフローチャートである。
【図１７】本発明の作用を説明する図である。
【図１８】本発明の効果を説明する図である。
【符号の説明】
１  プリンタ
１ａ  筐体
１０ａ  電池装填室
１ｂ  電池
１００ａ    フィルム装填室
１０１ａ    フィルムドア
１０１１ａ  １０１２ａ    バネ部材
１００    インスタントフィルムパック
１００１    インスタントフィルムシート
１０    各種スイッチ
１１    電源ＳＷ
１２    プリントＳＷ
１３    プリントデータ補正ＳＷ
１４    ＬＣＤパネル
１５    受光部
１６    光学ヘッド
１６１    ラック部材
１６１ａ    リードスクリュー
１６１１ａ    ガイド棒
１６２ａ    ステッピングモータ
１６２１ａ    ステッピングモータドライバ
１６３Ｒ  １６３Ｇ  １６３Ｂ    発光素子
１６４    導光板
１６５    液晶シャッタアレイ
１６６    セルフォックレンズ（登録商標）
１７    展開モータ
１７ａ    展開モータドライバ
１７ｂ    展開ローラ
１８０    ＣＰＵ
１８０Ａ    温度センサ
１８０Ｂ    原点センサ
１８０Ｃ    終端センサ
１８１    電源部
１８２    画像処理部
１８２１    外部Ｉ／Ｆ
１８３    印刷処理部
１８４    ＲＡＭ
１８５    ＦＬＡＳＨＭＥＭＯＲＹ
【図１】
2005007805.tif 000003
【図２】
2005007805.tif 000004
【図３】
2005007805.tif 000005
【図４】
2005007805.tif 000006
【図５】
2005007805.tif 000007
【図６】
2005007805.tif 000008
【図７】
2005007805.tif 000009
【図８】
2005007805.tif 000010
【図９】
2005007805.tif 000011
【図１０】
2005007805.tif 000012
【図１１】
2005007805.tif 000013
【図１２】
2005007805.tif 000014
【図１３】
2005007805.tif 000015
【図１４】
2005007805.tif 000016
【図１５】
2005007805.tif 000017
【図１６】
2005007805.tif 000018
【図１７】
2005007805.tif 000019
【図１８】
2005007805.tif 000020